(57)【特許請求の範囲】
【請求項１】
コンクリート型枠の外面にバタ角を一段で並列二本沿えたときのバタ角上面同士に押え面の長手方向を直交状態にして面合する一段押え部と、二段重ねに沿えたときの上段一本のバタ角上面に押え面の長手方向を直交状態にして面合する二段押え部とを所定角度で略へ字状に開脚した状態に鋼板プレスにて形成すると共に、バタ角に面合した前記押え部からセパレータ軸端の延長軸を突出させてその軸部の楔セット穴に楔を打込むことにより楔下面が前記押え部の背面を押圧してバタ角と型枠を締め付け固定するように設けたコンクリート型枠締め付け用の座金において、
前記バタ角に代え丸型鋼管の一部を嵌着する湾曲面が前記バタ角の押え面内に配置されるように湾曲部を前記一段押え部または／および二段押え部の背面側に突出するように設け、かつ湾曲面最大深さが鋼板厚み以下となるようにして形成し、さらに押え部の長手方向に向け前記楔下面を押え部の背面平坦部に面合可能とする開口部を略楔の厚みと同幅で湾曲部に設けたことを特徴とするコンクリート型枠締め付け用座金。
【請求項２】
前記湾曲面がバタ角の一辺の長さと略同等の外径を有する丸型鋼管を嵌着する大きさを有することを特徴とする請求項１記載のコンクリート型枠締め付け用座金。
【発明の詳細な説明】
【０００１】
【発明の属する技術分野】
本発明は、コンクリート型枠の支持部材を一段または二段重ねに締め付け固定可能としたコンクリート型枠締め付け用座金に属し、特に角形の支持部材でも丸型の支持部材でも確実に固定し楔の打ち込みも容易で正確に行なうことができるようにしたコンクリート型枠締め付け用座金に関する。
【０００２】
【従来の技術】
従来、この種のコンクリート型枠締め付け用座金は一度に多数使用されることから、作業条件の悪いような現場でも手早くセットできるように、楔の打ち込みをするだけでバタ角を固定できるように設けられている。
図８は従来のコンクリート型枠締め付け用座金１００を断面して示しており、図において１０１は一段押え面であり、コンクリート型枠１１１ａの支持部材としてその外面に沿えた一段のバタ角（角型鋼管）１１２ａを並列にして二本分、その軸方向に押え面が長手方向を直交させるように配置した状態で面合するように形成されている。
また、１０２は同じく二段押え面であり、二段重ね（図中一点鎖線部分）に沿えたバタ角１１２ｂの上段の一本に面合可能に形成されており、両押え面１０１，１０２は所定角度Ｑで開脚した状態に折り曲げることにより設けられている。図中１０４がその折曲げ点である。
そして、このようなコンクリート型枠締め付け用座金は曲げ作用を受けることから、前記一段押え面１０１と二段押え面１０２には、側縁部を折り曲げて断面略コ字状となるように形成した補強リブ１０３が両側縁部に立設されており、この補強リブ１０３も前記折曲げ点で縦方向に折り曲げられている。
【０００３】
前記両押え面１０１，１０２には、それぞれコンクリート型枠（一段の場合１１１ａ，二段の場合１１１ｂ）から突出させたセパレータの軸端に螺合させた延長軸（一段の場合１１４ａ，二段の場合図示せず）の挿通穴１０５，１０６が開設され、かつ前記各押え面の端部にバタ角の外れを防止するストッパ１０７，１０８を有するように設けられている（例えば実用新案登録第３０１７５５９号参照）。
【０００４】
そして、例えば一段押えの場合、コンクリート型枠１１１ａに並列二本配置したバタ角１１２ａに一段押え面１０１を面合させ、その時挿通穴１０５から突出したセパレータ軸端の延長軸１１４ａの楔セット穴１１６に楔１１９を打ち込むことにより、楔下面１１９ａが一段押え面の背面１０１ａを押圧して型枠間との間隔を狭め、これによってコンクリート型枠１１１ａをバタ角１１２ａで固定するようになされている。
尚、二段押えの場合も前記説明の一段押え面１０１に代え二段押え面１０２を使用して同様の施工方法により行なうことができる。
【０００５】
【発明が解決しようとする課題】
前記のようなコンクリート型枠の支持部材は、一辺を例えば５０ｍｍとするようなバタ角が使用されるが、これに類似する大きさの丸型鋼管（以後、鋼管と記載する）を使用する場合がある。
しかしながら、従来のようなコンクリート型枠締め付け用座金では、各押え面がバタ角に合うように平坦に形成されているのみであるから、前記構造のまま鋼管を使用すると鋼管と押え面は線接触した状態となって強力な支持力が得られず、また強く楔を打ち込み過ぎて延長軸を曲げたりセット位置がずれたりするため再度やり直しする手間がかかるなどの問題があった。
ところで、本出願人は前記鋼管が押え面に面接触して強力に固定されるように押え面内に湾曲面を設けてみたが、鋼板のプレス成形では湾曲部の盛り上がりが背面側に突出するために、楔打ち込み時に楔下面が湾曲面背面の峰のみにしか接触できず、この状態は線接触であるから使用を重ねるうちに湾曲面背面が磨耗していくという問題があった。
【０００６】
本発明は、上記問題点を解決するためになされたものであって、その目的とするところは、コンクリート型枠の支持部材を一段または二段重ねに締め付け固定可能とし、特に角形の支持部材でも丸型の支持部材でも確実に固定し楔の打ち込みも容易で正確に行なうことができ、楔打ち込みによる極端な摩耗部分が発生しないようにしたコンクリート型枠締め付け用座金を提供することにある。
【０００７】
【課題を解決するための手段】
前記課題を解決するために本発明請求項１記載のコンクリート型枠締め付け用座金では、コンクリート型枠の外面にバタ角を一段で並列二本沿えたときのバタ角上面同士に押え面の長手方向を直交状態にして面合する一段押え部と、二段重ねに沿えたときの上段一本のバタ角上面に押え面の長手方向を直交状態にして面合する二段押え部とを所定角度で略へ字状に開脚した状態に鋼板プレスにて形成すると共に、バタ角に面合した前記押え部からセパレータ軸端の延長軸を突出させてその軸部の楔セット穴に楔を打込むことにより楔下面が前記押え部の背面を押圧してバタ角と型枠を締め付け固定するように設けたコンクリート型枠締め付け用の座金において、
前記バタ角に代え鋼管の一部を嵌着する湾曲面が前記バタ角の押え面内に配置されるように湾曲部を前記一段押え部または／および二段押え部の背面側に突出するように設け、かつ湾曲面最大深さが鋼板厚み以下となるようにして形成し、さらに押え部の長手方向に向け前記楔下面を押え部の背面平坦部に面合可能とする開口部を略楔の厚みと同幅で湾曲部に設けたことを特徴とする。
【０００８】
請求項２記載のコンクリート型枠締め付け用座金では、請求項１記載のコンクリート型枠締め付け用座金において、前記湾曲面がバタ角の一辺の長さと略同等の外径を有する鋼管を嵌着する大きさを有することを特徴とする。
【０００９】
【作用】
本発明請求項１記載のコンクリート型枠締め付け用座金では、コンクリート型枠の支持部材であるバタ角を面合する、つまり平坦な面と、その平坦な面の中に湾曲面を有しているので、前記平坦な面でバタ角を、または湾曲面で鋼管を面合可能とし、バタ角または鋼管を一段並列に、または二段にした状態でいずれも位置ずれすることなく強固に締め付け固定させることができる。
また、湾曲部には、押え面の長手方向に向け楔と略同幅の開口部があるから、開口部の延長上にセパレータ軸端の延長軸が位置するようにこのコンクリート型枠締め付け用座金を位置決めすると、前記開口部をガイドとして押え面の長手方向に向け楔を延長軸の楔セット穴に誰でも簡単に打ち込むことができる。
この場合、楔下面は押え部の背面に当接するから、コンクリート型枠の支持部材がバタ角の場合では楔下面、押え部の背面、平坦な押え面、バタ角の順に締め付け力が伝達され、支持部材が鋼管の場合では楔下面、押え部の背面、湾曲面、鋼管の順に締め付け力が伝達され、さらに湾曲面の最大深さが鋼板の厚さと同じ大きさの場合は、湾曲面最大深さ部が押え部背面と同一位置となるから、楔下面と押え部背面、湾曲面最大深さ部の三者が同一位置となって、楔下面も湾曲面と共同して鋼管を押圧することになる。
従って、楔打ち込み時、楔下面は開口部を除き押え部背面のみに均等に面接触して締め付け力を伝達するから、コンクリート型枠締め付け用座金を変形させたり、その湾曲部背面など局部的な突出部を磨耗させるようなことがない。
一種類のコンクリート型枠締め付け用座金を用意しておくだけで、いずれの支持部材にも対応できるから、管理が容易となる。
【００１０】
請求項２記載のコンクリート型枠締め付け用座金では、バタ角の一辺の長さと略同等の外径を有する鋼管として、例えばバタ角が一辺５０ｍｍの大きさのものに相当するものとして鋼管外径４８．６ｍｍのものがあり、バタ角が一辺６０ｍｍの大きさのものに相当するものとして鋼管外径６０．５ｍｍのものがある。
この場合、いずれもその寸法差は小さく、一種類のコンクリート型枠締め付け用座金であっても鋼管とバタ角のいずれも任意に使用することができる。また、鋼管嵌着用の湾曲面の深さも鋼板の厚さ程度で浅く着脱も容易なことから、バタ角を使用する感覚で鋼管を使用してコンクリート型枠を組み立てていくことができる。
【００１１】
【発明の実施の形態】
以下、本発明の実施の形態を図面に基づいて詳細に説明する。
図１は本発明実施の形態のコンクリート型枠締め付け用座金を示す断面図、
図２は同上の平面図、図３は同上の鋼管を一段で並列二本使用して型枠を組み立てた状態を示す断面図、図４は図３の要部を示す拡大断面図である。尚、図１は図２のＢ−Ｂ線における断面を示している。
本実施の形態のコンクリート型枠締め付け用座金Ａは、一段押え部１と、二段押え部２と、楔３とを主要な構成としている。
【００１２】
前記一段押え部１は、組み立てた型枠２１の外面に一段で並列二本に沿えた鋼管１２ａ、またはバタ角１２ｂを固定させ、また、二段押え部２は二段重ねに沿えたときの上段一本の鋼管１２ａ、またはバタ角１２ｂを固定させるものであって、帯状の鋼板を長短の比で略へ字状に開脚した状態（本実施の形態では略１３５度）に折り曲げることにより、その長尺側を一段押え部１とし短尺側を二段押え部２としている。１３がその折り曲げ点である。尚、１４は補強リブであり、この補強リブ１４の立設側（折り曲げ側）をコンクリート型枠締め付け用座金Ａの背面側とし反立設側を押え面側とし、また前記補強リブ１４の軸方向を押え面の長手方向とする。
【００１３】
前記一段押え部１側には、外側端部を押え面側に比較的長い寸法を付与して折り曲げ形成した一段押え側ストッパ４を有している。１５がその折り曲げ点である。また、この折り曲げ点１５と前記折り曲げ点１３との略中央部に、セパレータ軸端の延長軸１６を貫通させる挿通穴１７を設け、その両側にそれぞれバタ角１２ｂの面幅より少し余裕をもつ長さを付与して平坦な一段押え面５を配置している。
【００１４】
そして、前記一段押え部１であって、バタ角１２ｂを正規位置で締め付けたときのバタ角中心位置に、湾曲面６ａの最大深さとなる位置を一致させて湾曲部６を設け、その湾曲面６ａはそれぞれ一段押え面５と連続するように配置している。
さらに、一段押え部１の長手方向中心位置であって湾曲部全体に渡り、幅が楔３の厚みと略同等とした開口部７を開設している。
本実施の形態のコンクリート型枠締め付け用座金Ａは、２．３ｍｍ厚の鋼板を前記のような形状にプレスで一体成形しており、この際、前記湾曲面６ａの最大深さを２．３ｍｍとすることにより、その最大深さ部が一段押え部１の背面１ａと同一レベルとなるように設けている。
１８は不使用時の楔３の収納手段であって、前記湾曲部６の背面との間に前記楔３の厚みと略同等の間隔を有して補強リブ１４を打ち出して設けている。
尚、前記楔３はチェーン１９で補強リブ１４に連結している。
【００１５】
前記二段押え部２側は、セパレータ軸端の延長軸１６を貫通させる挿通穴２０を折り曲げ点１３に近接して設け、外側端部には押え面側に切り出し成形した二段押え側ストッパ８を有している。そして前記挿通穴２０の端縁から二段押え側ストッパ８までの間を二段押え面９とし、その中央部分に前記同様の湾曲部１０を配置し湾曲面１０ａを二段押え面９に連続させている。１１はその湾曲部全体に設けた開口部である。
【００１６】
次に、次図を加えて本実施の形態のコンクリート型枠締め付け用座金Ａの作用を説明する。
図５は鋼管を二段重ねにして型枠を組み立てた状態を示す断面図、図６はバタ角を一段で並列二本使用して型枠を組み立てた状態を示す断面図、図７はバタ角を二段重ねにして型枠を組み立てた状態を示す断面図である。
まず、支持部材として鋼管１２ａまたはバタ角１２ｂを一段で並列二本使用して型枠を組み立てる場合、鋼管１２ａまたはバタ角１２ｂはいずれもセパレータ２２軸端の延長軸１６を挟んで同じピッチで配置させる。この状態でコンクリート型枠締め付け用座金Ａのストッパ８が型枠２１に接地する向きに配置し、挿通穴１７に延長軸１６を挿入して前記コンクリート型枠締め付け用座金Ａを装着する。
【００１７】
型枠の支持部材が鋼管の場合は図３，４に示すように、いずれも湾曲面６ａに嵌着させる。湾曲面６ａは開口部７があるが、鋼管１２ａの外周面は一段押え部における背面１ａと一致した位置で停止しそれ以上突出しないように保持された状態となっている。このように支持部材が鋼管の場合は、湾曲面で位置決めと滑り止め、および支持が同時になされる。
支持部材がバタ角１２ｂの場合は，図６に示すように一段押え面５に面合した状態となる。このように支持部材がバタ角の場合は、ストッパ４の折り曲げ点１３および折り曲げ点１５で位置決めと滑り止めがなされ、一段押え面５にて支持がなされる。
【００１８】
前記の状態で、いずれも延長軸１６における楔セット穴１６ａの一部が一段押え部の背面１ａから突出した状態となっているから、それに楔３を打ち込む。この場合、湾曲部６に開口部７を設けたために、一段押え部の背面側には湾曲部の断面部分が背面位置から盛り上がったように、かつ楔３の厚みと同等の間隔を明けて対向し一段押え部１の長手方向に二組配置されているから、この開口部７をガイドとして楔３を簡単に打ち込むことができる。
この打ち込んだ楔３の下面３ａは背面１ａを押圧し、その締め付け力は支持部材が鋼管の場合は湾曲部６を介して伝達され、バタ角の場合は一段押え面５で直接伝達される。
【００１９】
次に、支持部材を二段重ねにして型枠を組み立てる場合、コンクリート型枠締め付け用座金Ａをストッパ４の先端が型枠２１に接地するように配置し、挿通穴２０に延長軸１６を挿入して前記コンクリート型枠締め付け用座金Ａを装着する。
型枠の支持部材が鋼管の場合は図５に示すように、湾曲面１０ａに嵌着させる。湾曲面１０ａは前記と同様に開口部１１があるが、鋼管１２ａの外周面は二段押え部における背面２ａと一致した位置で停止しそれ以上突出しないように保持された状態となっている。
支持部材がバタ角１２ｂの場合は，図７に示すように二段押え面９に面合した状態となる。
その他の作用は前記支持部材を一段で並列二本使用して型枠を組み立てる場合と同様の作用であるので、その説明は省略する。
【００２０】
以上、本発明の実施の形態を説明してきたが、本発明の具体的な構成はこの実施の形態に限定されるものではなく、本発明の要旨を逸脱しない範囲の設計変更などがあっても、本発明に含まれる。
【００２１】
例えば、素材板厚などは任意に設定することができる。
湾曲部は一段押え部と二段押え部の両側に設けるとしたが、いずれか一方側にのみ設けることもできる。
【００２２】
【発明の効果】
以上説明してきたように、本発明請求項１記載のコンクリート型枠締め付け用座金にあっては、前記構成としたため、平坦な面と、その平坦な面の中に湾曲面を有しているので、前記平坦な面でバタ角を、または湾曲面で鋼管を面合可能とし、バタ角または鋼管を一段並列に、または二段にした状態でいずれも位置ずれすることなく強固に締め付け固定させることができる。
また、湾曲部背面側には、押え面の長手方向に向け楔と略同幅の開口部があるから、この開口部をガイドとして押え面の長手方向に向け楔を延長軸の楔セット穴に誰でも簡単に打ち込むことができる。
楔打ち込み時、楔下面は開口部を除き押え部背面のみに均等に面接触して締め付け力を伝達するから、コンクリート型枠締め付け用座金を変形させたり、その湾曲部背面など局部的な突出部を磨耗させるようなことがない。
一種類のコンクリート型枠締め付け用座金を用意しておくだけで、いずれの支持部材にも対応できるから、管理が容易となるなどの効果が得られる。
【００２３】
請求項２記載のコンクリート型枠締め付け用座金にあっては、前記構成としたため、バタ角の一辺の長さと略同等の外径を有する鋼管として、例えば一辺５０ｍｍの大きさのバタ角に相当するものに鋼管外径４８．６ｍｍのものがあり、一辺６０ｍｍの大きさのバタ角に相当するものに鋼管外径６０．５ｍｍのものがあるから、いずれもその寸法差は小さく、一種類のコンクリート型枠締め付け用座金であっても鋼管とバタ角のいずれも任意に使用することができる。
また、鋼管嵌着用の湾曲面の深さも鋼板の厚さ程度で浅く着脱も容易なことから、バタ角を使用する感覚で鋼管を使用してコンクリート型枠を組み立てていくことができるなどの効果が得られる。
【図面の簡単な説明】
【図１】本発明実施の形態のコンクリート型枠締め付け用座金を示す断面図である。
【図２】同上のコンクリート型枠締め付け用座金を示す平面図である。
【図３】同上の鋼管を一段で並列二本使用して型枠を組み立てた状態を示す断面図である。
【図４】図３の要部を示す拡大断面図である。
【図５】同上の鋼管を二段重ねにして型枠を組み立てた状態を示す断面図である。
【図６】同上のバタ角を一段で並列二本使用して型枠を組み立てた状態を示す断面図である。
【図７】同上のバタ角を二段重ねにして型枠を組み立てた状態を示す断面図である。
【図８】従来のコンクリート型枠締め付け用座金の使用状態を示す断面図である。
【符号の説明】
Ａ  コンクリート型枠締め付け用座金
１  一段押え部
２  二段押え部
３  楔
５  一段押え面
６  一段押え側湾曲部
６ａ  一段押え側湾曲面
７  一段押え側開口部
９  二段押え面
１０  二段押え側湾曲部
１０ａ  二段押え側湾曲面
１１  二段押え側開口部
１２ａ  鋼管
１２ｂ  バタ角
１３  折り曲げ点
１６  セパレータ軸端の延長軸
２１  型枠
【図１】
0003945796.tif 000002
【図２】
0003945796.tif 000003
【図３】
0003945796.tif 000004
【図４】
0003945796.tif 000005
【図５】
0003945796.tif 000006
【図６】
0003945796.tif 000007
【図７】
0003945796.tif 000008
【図８】
0003945796.tif 000009